(57)【要約】【課題】ピルファープルーフバンドの下端に指先を引っかけて持ち上げれば比較的簡単に缶から外すことができるという従来の欠点を解消したオーバーキャップ及び包装方法を提供する。【解決手段】オーバーキャップは、フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドとからなる。ピルファープルーフバンドの下端にバンド延長部が連設されており、バンド延長部の下端はオーバーキャップの筒状容器本体への嵌合が容易な程度に筒状容器本体の胴面から距離をおいている。バンド延長部は、熱収縮可能であり、熱収縮によりその下端が筒状容器本体の胴面に近接するようにバンド延長部を変形させることができるように構成されている。【選択図】  図１
2004196338.tif 000002
【特許請求の範囲】
【請求項１】
フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドとからなり、該ピルファープルーフバンドの下端にバンド延長部が連設されており、該バンド延長部の下端はオーバーキャップの筒状容器本体への嵌合が容易な程度に筒状容器本体の胴面から距離をおいており、前記バンド延長部は、熱収縮可能であり、熱収縮によりその下端が筒状容器本体の胴面に近接するようにバンド延長部を変形させることができるように構成されていることを特徴とするオーバーキャップ。
【請求項２】
スカート部とピルファープルーフバンドの間に複数のつなぎを介して複数のスリットが設けられていることを特徴とする請求項１に記載のオーバーキャップ。
【請求項３】
フランジ部付き筒状容器本体は巻締め部を有する金属缶であることを特徴とする請求項１または２に記載のオーバーキャップ。
【請求項４】
請求項１または２に記載のオーバーキャップをフランジ部付き筒状容器本体に嵌合させ、オーバーキャップの周囲にヒーターを配置し、このヒーターにより加熱することによりバンド延長部を熱収縮させ、バンド延長部の下端を筒状容器本体の胴面に近接させることを特徴とする包装方法。
【発明の詳細な説明】
【０００１】
【発明の属する技術分野】
本発明は、ドライミルク、粉末コーヒー、お茶、海苔、ふりかけ等の食品用の缶容器に対する外部からの悪戯を防止できるように工夫された、ピルファープルーフ性を備えた嵌合蓋、所謂オーバーキャップ及びこのオーバーキャップを用いた包装方法に関する。
【０００２】
【従来の技術】
従来、ドライミルク、粉末コーヒー、お茶、海苔、ふりかけ等の食品用の比較的口径の大きい缶には嵌合蓋、所謂オーバーキャップが付いており、閉缶後の包装内容物への湿気・臭い等の浸入、付着等を防止するために用いられている。このオーバーキャップは、通常、低密度ポリエチレン、線状低密度ポリエチレン、中密度ポリエチレン等を射出成形して製造される。
【０００３】
図７は、従来のオーバーキャップ１の一例を示す。このオーバーキャップ１は、盤状の蓋本体２とその縁部から下方に連設されたリング状のスカート部３を備え、このスカート部３の内面には金属製の筒状缶９のフランジ部としての巻締め部１０の形状に沿った溝部６が形成されている。この溝部６の下端は筒状缶９の上端の巻締め部１０の最大径より小さい内径を有するので、オーバーキャップ１を筒状缶９のほうへ軽く押圧すると筒状缶９の巻締め部１０を越えてオーバーキャップ１が筒状缶９に嵌合するようになっている。
【０００４】
また、スカート部３の下方にはピルファープルーフバンド４が薄肉部３ａを介して連設されている。ピルファープルーフバンド４は、その下端４ａが筒状缶９の胴部９ａに接するようにスカート部３に対して傾斜しており、下端４ａが筒状缶９の胴部９ａに近接することによってオーバーキャップ１は筒状缶９から脱落しないようにされる。前記オーバーキャップ１は、開封する際に前記薄肉部３ａに沿って引き裂きピルファープルーフバンド４を切り取ることによって開封し、その後包装内容物を通常のように使用する。
【０００５】
しかしながら、従来のオーバーキャップは、ピルファープルーフバンドの下端に指先を引っかけて持ち上げれば比較的簡単に缶から外れるように設計されているため、店頭に陳列された缶製品が外部から蓋部分をこじ開けられたり異物を混入されたりして悪戯される恐れがあり、このような悪戯に対する対策が求められていた。
【０００６】
また、前記オーバーキャップは、未開封状態と開封状態をピルファープルーフバンドの有無により容易に識別できるという利点を有するが、ポリエチレン等の可撓性を有する材料からなるため、薄肉部を破壊することなくオーバーキャップを筒状缶から容易に取り外しまたは嵌合することができる。そのため、悪戯に対する対策としてのピルファープルーフ機能は完全ではなかった。
【０００７】
さらに、ポリエチレン等からなるオーバーキャップは温度によって剛性が大きく変化するので、冬期においては十分な剛性があって筒状缶とオーバーキャップとはタイトな嵌合状態であっても、夏期においてはオーバーキャップの剛性が低下して柔らかくなってオーバーキャップを缶から簡単に取り外すことができるようになり、ピルファープルーフ機能が損なわれる欠点があった。
【０００８】
上記したピルファープルーフバンドの下端に指先を引っかけて持ち上げれば比較的簡単にオーバーキャップが缶から外れる欠点を解消するべくピルファープルーフバンドを筒状缶に対してタイトに成形すると、キャツピング時にピルファープルーフバンドの内面が筒状缶の縁に引っ掛かり蓋をすることができなくなる。
【０００９】
図８に記すように、特許文献１には、円盤状の蓋本体２１と、前記蓋本体２１の縁部から下方に延長され、内側に缶巻締め部２６の外形に沿って係合される溝部２４を設けられた第１のスカート部２２と、前記第１のスカート部２２の下方に延長された第２のスカート部２３とからなるオーバーキャップであって、前記第２のスカート部２３の内側に缶への嵌合時に前記缶巻締め部２６の缶外径より小さい外径で設けられた缶の溝状ビード３０の外形に沿うように入り込み係合される突出部２８が設けられていることを特徴とする、オーバーキャップが開示されている。尚、図８において、２５は缶、２７は薄肉部分、２９は外周面、３１は缶外周面を示す（特許文献１参照）。
【００１０】
しかしながら、この特許文献１に記載のオーバーキャップは、胴部に溝状ビードを備える缶に対して利用し得るものであり、このような溝状ビードのない筒状缶には適用することができない。
【００１１】
更に、図９に記すように、特許文献２には合成樹脂材によって構成される容器主体５１と、この容器本体５１の上部開口５２を密閉するキャップ５４とからなり、容器主体５１の上端開口部に近い上部外周面に環状の係合突条５５を設ける一方キャップ５４の周縁には容器主体５１の上端開口縁５８に密嵌する環状凹溝５９を形成し、この環状凹溝５９を形成した外側スカート部６０の内周に容器主体５１の係合突条５５と係合する環状の係合凹溝６１を形成し、この係合凹溝６１の谷部６２に位置するスカート部６０の肉厚を谷部６２に沿って引き裂ける程度に薄くすると共にスカート部６０の一ヶ処にその下縁６３から係合凹溝６１に至る手掛け用切欠き６４を形成してなる容器が記載されている。尚、図９において５３は容器主体の底、５６は係合突条５５の上面、５７は係合突条５５の下面、６５は肉厚部を示す（特許文献２参照）。
【００１２】
しかしながら、特許文献２に記載の容器においては容器主体の外周面に係合突条５５を設けなければならず、係合突起のない筒状缶には適用することはできない。
【００１３】
【特許文献１】
特許第３２４１５３４号公報（第１頁左欄、図１）
【特許文献２】
実開昭５２−１１４９４３号公報（実用新案登録請求の範囲の欄、図３）
【００１４】
【発明が解決しようとする課題】
本発明の目的は、筒状容器本体の外側に溝状ビード、係合突起等を設けることを必要としない、ピルファープルーフバンドの下端に指先を引っかけて持ち上げれば比較的簡単に缶から外すことができるという従来の欠点を解消したオーバーキャップ及び包装方法を提供することである。
【００１５】
【課題を解決するための手段】
請求溝１に記載の発明は、オーバーキャップに関する課題を解決するもので、フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドとからなり、該ピルファープルーフバンドの下端にバンド延長部が連設されており、該バンド延長部の下端はオーバーキャップの筒状容器本体への嵌合が容易な程度に筒状容器本体の胴面から距離をおいており、前記バンド延長部は、熱収縮可能であり、熱収縮によりその下端が筒状容器本体の胴面に近接するようにバンド延長部を変形させることができるように構成されていることを特徴とするオーバーキャップを要旨とする。
【００１６】
本明細書において、フランジ部付き筒状容器本体とは、巻締め部を有する金属缶、丸形環状縁部を有する紙缶、紙／金属箔、プラスチック／金属箔等の複合材料からなる丸形環状縁部を有する缶等を意味する。
【００１７】
本発明のオーバーキャップにおいては、ピルファープルーフバンドの下端に連設したバンド延長部が熱収縮可能であり、熱収縮させてその下端が筒状容器本体の胴面に近接するようにバンド延長部を変形させることができる。
【００１８】
本発明のオーバーキャップにおいては、スカート部とピルファープルーフバンドの間に複数のつなぎを介して複数のスリットが設けてもよい。
【００１９】
請求項４に記載の発明は、包装方法に関する課題を解決するもので、請求項１または２に記載のオーバーキャップをフランジ部付き筒状容器本体に嵌合させ、オーバーキャップの周囲にヒーターを配置し、このヒーターにより加熱することによりバンド延長部を熱収縮させ、バンド延長部の下端を筒状容器本体の胴面に近接させることを特徴とする包装方法を要旨とする。
【００２０】
本発明の包装方法により得られる包装体においては、オーバーキャップのバンド延長部が筒状容器本体の胴部にフィットしているのでピルファープルーフバンドと筒状容器本体の胴面の間を広げてオーバーキャップを取り外すことが困難であり、オーバーキャップを取り外し、開封して悪戯をすることはできない。
特にスリットを有する本発明のオーバーキャップを用いた包装方法により得られる包装体においては、熱風を当てることで、スリット部分に対応するピルファープルーフバンドの部分が特に大きく変形し、バンド延長部が筒状容器本体にフィットするので、よけいにピルファープルーフバンドを切ることなく開封して悪戯することが困難である。
【００２１】
また、ピルファープルーフバンドは薄肉のつなぎでスカート部につながっているだけなので、脆弱であり、悪戯をしようとしてバンド延長部と筒状容器本体の胴面の間を広げようとするとピルファープルーフバンドが切れるため、目で見て悪戯の有無を確認し得る効果、所謂視認効果が高い。
【００２２】
【発明の実施の形態】
図１は、巻締め部を有する金属缶に嵌合される本発明に係るオーバーキャップの例を示し、（Ａ）は一部断面図示側面図、（Ｂ）は図１（Ａ）に示すＡ−Ａ線矢視断面図である。
【００２３】
本発明に係るオーバーキャップ１は、低密度ポリエチレン、線状低密度ポリエチレン、中密度ポリエチレン、高密度ポリエチレン、ポリプロピレン等のオレフィン樹脂を射出成形してなるもので、盤状の蓋本体２と、前記蓋本体２の縁部から下方に連設され、内部に筒状容器本体（図示せず）のフランジ部（缶巻締め部）の外形に沿って係合される溝部６を備えるスカート部３と、前記スカート部３の下端に連設されたピルファープルーフバンド４とからなる。ピルファープルーフバンド４の下端にバンド延長部５が連設されており、バンド延長部５の下端はオーバーキャップ１の筒状容器本体への嵌合が容易な程度に筒状容器本体の胴面から距離をおいており、バンド延長部５は、熱収縮可能であり、熱収縮によりその下端が筒状容器本体の胴面に近接するようにバンド延長部５を変形させることができるように構成されている。また、スカート部３とピルファープルーフバンド４の間には引き裂き可能な薄肉部７が形成され、ピルファープルーフバンド４にはピルファープルーフバンド把持用つまみ８が設けられている。
【００２４】
本発明に係るオーバーキャップを嵌合する筒状容器本体としては、上にあげたフランジ部として巻締め部を有する金属缶以外に、フランジ部として丸形環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体鹸化物等のガスバリア材料の複合材料とからなる缶等を適用することができる。また筒状容器本体の形状は円筒形に限られることなく例えば角筒形であってもよい。
【００２５】
図２（Ａ）は、オーバーキャップ１を筒状容器本体９に嵌合した状態を示し、図２（Ｂ）は、オーバーキャップ１の周囲にヒーター（図示せず）を配置し、このヒーターにより加熱することによりバンド延長部５を熱収縮させ、バンド延長部５の下端を筒状容器本体９の胴面に近接させた状態を示す。
尚、加熱条件に関しては、オーバーキャップを構成する樹脂の軟化温度付近で、９０℃〜１３０℃、好ましくは約１００℃〜１２０℃で約１０秒乃至１５秒間加熱するのが好ましい。
【００２６】
図２（Ｂ）から明らかなように、図１に示すオーバーキャップを用い、本発明の包装方法により得られる包装体においては、オーバーキャップのバンド延長部５の下端が筒状容器本体９の胴部にフィットしているのでピルファープルーフバンド４のバンド延長部５と筒状容器本体９の胴面の間を広げてオーバーキャップ１を筒状容器本体９から取り外すことが困難であり、オーバーキャップ１を取り外し、開封して悪戯をすることはできない。
【００２７】
次に、図３は本発明のオーバーキャップ１の別の実施の形態を示し、（Ａ）は一部断面図示側面図、（Ｂ）は図１（Ａ）に示すＡ−Ａ線矢視断面図である。このオーバーキャップは、図１に示すオーバーキャップ１において、スカート部３とピルファープルーフバンド４の間に周方向に複数のつなぎ１１を介して複数のスリット１２が設けられているものである。その他の構成は図１に示す実施の形態と同様である。
【００２８】
図５は、図３に示すオーバーキャップ１を筒状容器本体９に嵌合した状態を示し、嵌合直後はバンド延長部５の下端と筒状容器本体９の間が大きく開いていることを示す。図６（Ａ）は図４に示すＢ−Ｂ線に沿って切断した断面図を示し、図６（Ｂ）は図４に示すＣ−Ｃ線に沿って切断した断面図を示す。図６（Ａ）、図（Ｂ）から明らかなように、オーバーキャップ１の周囲にヒーター（図示せず）を配置し、このヒーターにより加熱することによりバンド延長部５は熱収縮し、スリット１２に対応するピルファープルーフバンド４の部分が特に大きく変形し、筒状容器本体９のほうへよっていることがわかる。
【００２９】
このスリット１２を有する本発明のオーバーキャップを用いた包装方法により得られる包装体においては、熱風を当てることで、図４、図６（Ｂ）に示すように、スリット１２に対応するピルファープルーフバンド４の部分が特に大きく収縮し、ピルファープルーフバンド４の部分が筒状容器本体にフィットするので、よけいにピルファープルーフバンド４を切ることなく開封して悪戯することが困難である。
【００３０】
また、ピルファープルーフバンド４は薄肉のつなぎ１１でスカート部３につながっているだけなので、脆弱であり、悪戯をしようとしてバンド延長部５と筒状容器本体の胴面との間を広げようとするとピルファープルーフバンド４が切れるため、目で見て悪戯の有無を確認し得る効果、所謂視認効果が高い。
【００３１】
本発明のオーバーキャップを用いた包装体の開封は、ピルファープルーフバンド把持用つまみ８を把持してピルファープルーフバンド４を周方向に引き、薄肉部５に沿って引き裂いてピルファープルーフバンド４及びバンド延長部５を取り去ることにより行うことができる。
【００３２】
また、オーバーキャップ１を筒状容器本体９に嵌合させるときは、図５に示すようにバンド延長部５の下端と筒状容器本体９の間が嵌合の妨げとならない程度に開いているのでオーバーキャップ１の筒状容器本体９への嵌合をバンド延長部５の下端が筒状缶７の縁に引っ掛かることなくスムーズにキャッピングを行うことができる。
【００３３】
本発明に係る包装体は、ドライミルク、粉末コーヒー、お茶、海苔、ふりかけ等の食品の包装に適用することができる。
【００３４】
【発明の効果】
以上詳細に説明した本発明に係るオーバーキャップは、フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドとからなり、該ピルファープルーフバンドの下端にバンド延長部が連設されており、該バンド延長部の下端はオーバーキャップの筒状容器本体への嵌合が容易な程度に筒状容器本体の胴面から距離をおいており、前記バンド延長部は、熱収縮可能であり、熱収縮によりその下端が筒状容器本体の胴面に近接するようにバンド延長部を変形させることができるように構成されていることを特徴とするもので、ピルファープルーフバンドの下端に連設したバンド延長部が熱収縮可能であり、熱収縮させてその下端が筒状容器本体の胴面に近接するようにバンド延長部を変形させ、バンド延長部の下端が筒状容器本体の胴部にフィットしているのでバンド延長部の下端と筒状容器本体９胴面の間を広げてオーバーキャップ１を筒状容器本体９から取り外すことは困難であり、オーバーキャップを取り外し、開封して悪戯をすることはできない包装体を形成することを可能とするものである。
【００３５】
また、スカート部とピルファープルーフバンドの間に複数のつなぎを介して複数のスリットが設けられているオーバーキャップは、熱風を当てることで、スリット部分に対応するピルファープルーフバンドの部分が特に大きく変形し、バンド延長部が筒状容器本体にフィットするので、よけいにピルファープルーフバンドを切ることなく開封して悪戯することが困難な包装体を形成することを可能とするものである。
【００３６】
また、ピルファープルーフバンドは薄肉のつなぎでスカート部につながっているだけなので、脆弱であり、悪戯をしようとしてバンド延長部と筒状容器本体の胴面の間を広げようとするとピルファープルーフバンドが切れるため、目で見て悪戯の有無を確認し得る効果、所謂視認効果が高い。
【００３７】
また、本発明の包装方法は請求項１または２に記載のオーバーキャップをフランジ部付き筒状容器本体に嵌合させ、オーバーキャップの周囲にヒーターを配置し、このヒーターにより加熱することによりバンド延長部を熱収縮させ、バンド延長部の下端を筒状容器本体の胴面に近接させることを特徴とするもので、ピルファープルーフバンドを切ることなく開封して悪戯することが困難な包装体を形成することを可能とする利点を有する。
【００３８】
また、本発明の包装方法によれば、筒状容器本体の周囲に溝状ビード、円周突起等を設ける必要はなく安価な包装体を提供することができる。
【図面の簡単な説明】
【図１】本発明のオーバーキャップの第１の実施の形態を示し、（Ａ）は一部断面図示側面図、（Ｂ）は図１（Ａ）に示すＡ−Ａ線に沿って示す一部断面図示平面図である。
【図２】図１に示すオーバーキャップの主要部を示し、（Ａ）はオーバーキャップを筒状容器本体に嵌合させた状態を示し、（Ｂ）はヒーターにより加熱することによりバンド延長部の下端を熱収縮させ筒状容器本体に近接させた状態を示す。
【図３】本発明のオーバーキャップの第２の実施の形態を示し、（Ａ）は一部断面図示側面図、（Ｂ）は図３（Ａ）に示すＡ−Ａ線に沿って示す一部断面図示平面図である。
【図４】図３に示すバンド延長部を熱収縮させた状態のオーバーキャップを示す略平面図である。
【図５】図３に示すオーバーキャップを筒状容器本体に嵌合した状態を示す略断面図である。
【図６】図４に示すバンド延長部を熱収縮させた状態のバンドオーバーキャップの断面を示し、（Ａ）は、Ｂ−Ｂ線に沿って切断して示す略断面図、（Ｂ）はＣ−Ｃ線に沿って切断して示す略断面図である。
【図７】従来のオーバーキャップの略断面図である。
【図８】特許文献１に開示されたオーバーキャップを缶に嵌合した状態を示す略断面図である。
【図９】特許文献２に記載のオーバーキャップ及び容器本体の略断面図である。
【符号の説明】
１      オーバーキャップ
２      蓋本体
３      スカート部
３ａ    薄肉部
４      ピルファープルーフバンド
４ａ    ピルファープルーフバンドの下端
５      バンド延長部
６      溝部
７      薄肉部
８      ピルファープルーフバンド把持用つまみ
９      筒状容器本体
９ａ    筒状容器本体の胴面
１０    巻締め部
１１    つなぎ
１２    スリット
２１    蓋本体
２２    第１のスカート部
２３    第２のスカート部
２４    溝部
２５    缶
２６    缶巻締め部
２７    薄肉部分
２８    突出部
２９    第２のスカート部の外周面
３０    溝状ビード
３１    缶外周面
５１    容器本体
５２    容器主体の上部開口
５３    容器主体の底
５４    キャップ
５５    係合突条
５６    係合突条の上面
５７    係合突条の下面
５８    容器主体の上部外周面
５９    環状凹溝
６０    外側スカート部
６１    係合凹溝
６２    係合凹溝の谷部
６３    スカート部の下縁
６４    手掛け用切欠き
【図１】
2004196338.tif 000003
【図２】
2004196338.tif 000004
【図３】
2004196338.tif 000005
【図４】
2004196338.tif 000006
【図５】
2004196338.tif 000007
【図６】
2004196338.tif 000008
【図７】
2004196338.tif 000009
【図８】
2004196338.tif 000010
【図９】
2004196338.tif 000011